(57)【要約】      （修正有）【課題】枕等の対象物に対して容易に着脱でき、対象物に対して容易に滑ることのない、肌触りに優れたガーゼ織物カバーを提供する。【解決手段】ガーゼ織物カバー１は、枕５に巻き付けて使用するガーゼ織物カバー１において、経方向において両端に位置する２つの薄層部４０と、経方向において２つの薄層部４０に挟まれた複数層の滑り吸収部２０と、を備え、滑り吸収部２０の層数が薄層部４０の層数よりも多い。また、滑り吸収部２０は、複数の各層を構成する経糸が所定の位置で隣接する他の層と結節されていることを特徴とする。【選択図】図５
2020039751.tif 000002
【特許請求の範囲】
【請求項１】
対象物に巻き付けて使用するガーゼ織物カバーにおいて、
経方向において両端に位置する2つの薄層部と、
経方向において2つの前記薄層部に挟まれた複数層の滑り吸収部と、を備え、
前記滑り吸収部の層数が前記薄層部の層数よりも多いことを特徴とするガーゼ織物カバー。
【請求項２】
前記滑り吸収部は、複数の前記各層を構成する経糸が所定の位置で隣接する他の層と結節されていることを特徴とする請求項１記載のガーゼ織物カバー。
【請求項３】
前記滑り吸収部は、3層以上であることを特徴とする請求項１又は２記載のガーゼ織物カバー。
【請求項４】
前記滑り吸収部の経方向の長さは、前記ガーゼ織物カバーの経方向全体の長さの30〜70％の長さであることを特徴とする請求項１又は２記載のガーゼ織物カバー。
【請求項５】
前記滑り吸収部は、表層と裏層とを備える表裏層と、前記表層と前記裏層とに挟まれた内部層とを備え、前記表裏層を構成する経糸の組織密度は、前記内部層を構成する経糸の組織密度の2倍以上であることを特徴とする請求項３記載のガーゼ織物カバー。
【請求項６】
前記表裏層を構成する緯糸の番手よりも、前記内部層を構成する緯糸の番手が小さいことを特徴とする請求項５記載のガーゼ織物カバー。
【発明の詳細な説明】
【技術分野】
【０００１】
本発明は、対象物に巻き付けて使用するガーゼ織物カバーに関する。
【背景技術】
【０００２】
一般に、枕は、枕本体が汚れるのを防止するために、袋タイプ等の枕カバー内に枕本体を収納した状態で使用される。しかし、袋タイプの枕カバーを洗濯する場合には、洗濯前に枕カバー内から枕本体を取り出すと共に、洗濯後に再度枕カバー内に枕本体を収納する作業が毎回必要であり、非常に手間がかかる。
【０００３】
このため、枕に対して簡単に脱着ができる汗取り用の枕カバーや枕パッドが従来から提供されており、例えば、下記特許文献１〜３に開示されている。ところで、枕の使用時には、枕の表面に接触する使用者の頭が動くために、枕カバーが枕に対して容易にずれないようにする必要がある。
【０００４】
このため、下記特許文献１〜３では、枕カバーを枕に対してずれないように固定するための紐を設置したり、枕カバーの裏面に滑り止め用のゴム等の樹脂層を形成したりしている。
【先行技術文献】
【特許文献】
【０００５】
【特許文献１】実開平２−１４１２６７号公報
【特許文献２】特開２００２−３０６３０１号公報
【特許文献３】特開２００９−１９５３２２号公報
【発明の概要】
【発明が解決しようとする課題】
【０００６】
しかし、枕カバーを紐で枕に固定する場合には、脱着の際に毎回紐を解いて縛る必要があり、手間がかかる。また、滑り止め用の樹脂層を設置すると、枕カバーがどうしても硬くなり、肌触りが悪くなってしまう。
【０００７】
本発明は、このような課題に鑑みてなされたものであり、枕等の対象物に対して容易に着脱でき、対象物に対して容易に滑ることのない、肌触りに優れたガーゼ織物カバーを提供することを目的とする。
【課題を解決するための手段】
【０００８】
上記課題を解決するために、本発明に係るガーゼ織物カバーは、対象物に巻き付けて使用するガーゼ織物カバーにおいて、経方向において両端に位置する2つの薄層部と、経方向において2つの前記薄層部に挟まれた複数層の滑り吸収部と、を備え、前記滑り吸収部の層数が前記薄層部の層数よりも多いことを特徴とする。
【発明の効果】
【０００９】
本発明に係るガーゼ織物カバーによれば、経方向両端の薄層部を対象物に巻き付けることで、容易に設置できると共に、滑り吸収部が滑りを吸収することで、対象物に対して滑ることを防止できる。
【図面の簡単な説明】
【００１０】
【図１】図１は、本発明の実施形態に係るガーゼ枕カバーの平面図である。
【図２】図２は、本発明の実施形態に係るガーゼ枕カバーの拡大平面図である。
【図３】図３は、本発明の実施形態に係る滑り吸収部の構造断面図である。
【図４】図４は、本発明の実施形態に係る薄層部の構造断面図である。
【図５】図５は、本発明の実施形態に係るガーゼ枕カバーの使用態様を示す図である。
【発明を実施するための形態】
【００１１】
以下、図面を参照しながら、本発明の実施形態に係るガーゼ織物カバーであるガーゼ枕カバー１について説明する。ガーゼ枕カバー１は、内部に枕５を入れる袋タイプではなく、枕５に巻き付けて使用するカバーであり、枕５への取り付けや取り外しを簡単に行うことができる。
【００１２】
ガーゼ枕カバー１は、経方向（縦方向）の中央に位置する滑り吸収部２０と、経方向において滑り吸収部２０の両側に位置する薄層部４０とを備える。滑り吸収部２０は、6層構造（6重織）であり、表裏に位置する表裏層２１と、表裏層２１に挟まれた内部に位置する4層の内部層２２とを備える。表裏層２１は、最上層の表層（第一層）３１と、最下層の裏層（第六層）３６とを備える。
【００１３】
内部層２２は、上方から順に形成された、第二層３２、第三層３３、第四層３４及び第五層３５を備えている。このように、6層構造の滑り吸収部２０を備えることで、使用時に使用者の頭が動いても、各層３１〜３６が相互にずれることで、頭の動きを吸収し、枕５の表面に接触している裏層３６は枕５に対してほとんどずれることがない。
【００１４】
薄層部４０は、2層構造（2重織）であり、表側に位置する表層（第一層）４１と、裏側に位置する裏層（第二層）４２とを備えている。なお、図１において、図中上下方向が経方向であり、図３及び図４の構造断面図においては、便宜上、緯方向に隣接する複数の経糸を同一断面図内に描いている。
【００１５】
ガーゼ枕カバー１は、1,980本の経糸５０と3,040本の緯糸６０から製織される。経糸５０は、396本の上経糸５１と、1,584本の下経糸５２とを備え、上経糸５１は、20/1（20番手単糸）の無撚糸であり、下経糸５２は、40/2（40番手双糸）の普通糸（シャンカール（登録商標））である。
【００１６】
図３及び図４において、上経糸５１を実線で描き、下経糸５２を破線で描いている。図３に示すように、6重構造の滑り吸収部２０において、下経糸５２が表裏層２１（表層３１、裏層３６）を構成し、上経糸５１が内部層（第二〜五層３２〜３５）を構成する。
【００１７】
図３においては、表層３１を構成する下経糸５２が2本描かれ、裏層３６を構成する下経糸５２が2本描かれている。また、第二層３２を構成する上経糸５１が2本、第三層３３を構成する上経糸５１が2本、第四層３４を構成する上経糸５１が2本、第五層３５を構成する上経糸５１が2本、合計8本の上経糸５１が描かれている。
【００１８】
一方、2重構造の薄層部４０では、図４に示すように、下経糸５２は表層４１及び裏層４２を構成すると共に、上経糸５１も裏層４２を構成している。図４においては、表層４１を構成する下経糸５２が2本、裏層４２を構成する下経糸５２が2本描かれ、裏層４２を構成する上経糸５１は1本だけ描かれている。
【００１９】
ここで、滑り吸収部２０では、各層３１〜３６が隣接する層３１〜３６と相対的に大きくずれ過ぎないように、隣接する層３１〜３６同士を所定の位置で結節している（図３参照）。
【００２０】
具体的には、本実施形態では、第二層３２〜第六層３６を構成する経糸５０を所定の周期で上の層３１〜３５の緯糸６０に絡めることで、隣接する層３１〜３６同士を結節している。より詳細には、第二層３２を構成する上経糸５１が所定の周期で、表層３１の第一緯糸６１に絡められており、第三層３３を構成する上経糸５１が所定の周期で、第二層３２を構成する第二緯糸６２に絡められている。
【００２１】
同様に、第四層３４が第三層３３と結節され、第五層３５が第四層３４と結節されている。また、裏層３６を構成する下経糸５２が所定の周期で、第五層３５を構成する第二緯糸６２に絡められることで、裏層３６が第五層３５と結節されている。
【００２２】
このような隣接する層同士の結節を行っていないと、所定の層３１〜３６が所定の方向に寄りすぎてしまって見栄えが悪くなったり、大きく膨らんだりしてしまったりするが、結節を行っておくことで、このような寄りすぎを防ぐことができる。
【００２３】
緯糸６０は、2,236本の第一緯糸６１と、402本の第二緯糸６２と、402本の第三緯糸６３とを備える。第一緯糸６１は、20/1（20番手単糸）の中空糸であり、第二経糸６２は、10/1（10番手単糸）の甘撚糸（アントウィッシュ）であり、第三緯糸６３は、10/2（10番手双糸）の普通糸（TS（登録商標））である。
【００２４】
図３及び図４において、第一緯糸６１を実線で描き、第二緯糸６２を破線で示し、第三緯糸６３を一点鎖線で示している。第一緯糸６１は、滑り吸収部２０及び薄層部４０の双方に使用され、表裏層２１、表層４１及び裏層４２を構成する。第二緯糸６２及び第三緯糸６３は、滑り吸収部２０の内部層２２にのみ利用され、第二緯糸６２は第二層３２及び第五層３５を構成し、第三緯糸６３は第三層３３及び第四層３４を構成する。
【００２５】
このように、本実施形態では、滑り吸収部２０において、表裏層２１を構成する下経糸５２の組織密度を高く（1,584本）、内部層２２を構成する上経糸５１の組織密度を低く（396本）すると共に、表裏層２１を構成する第一緯糸６１よりも内部層２２を構成する第二緯糸６２及び第三緯糸６３を太い番手とすることで、軽くて軟らかく立体的な構造の内部層２２を実現している。
【００２６】
もちろん、経糸５０の本数や緯糸６０の番手は適宜変更可能であるが、内部層２２を柔らかく立体的な構造とするためには、表裏層２１を構成する下経糸５２の組織密度を、内部層２２を構成する上経糸５１の組織密度の2倍以上とするのが望ましく、表裏層２１を構成する第一緯糸６１よりも内部層２２を構成する第二緯糸６２及び第三緯糸６３を小さい番手とし、内部層２２を構成する緯糸６２，６３を太い糸とするのが望ましい。
【００２７】
続いて、ガーゼ枕カバー１の使用態様について説明する。本実施形態では、ガーゼ枕カバー１は、袋タイプの枕カバーに枕本体を収納した状態の枕５に対して、追加の汗取りカバーとして巻き付けて使用される。
【００２８】
図５は、ガーゼ枕カバー１を枕５に対して巻き付けた使用状態を示しており、図５（ａ）は平面図、図５（ｂ）は裏面図、図５（ｃ）は斜視図を示している。図５に示すように、使用状態では、滑り吸収部２０が枕５の表側面の略全体を覆っており、薄層部４０の表層４１と裏層４２とが枕５の裏側面の略全体を覆っている。
【００２９】
このように、ガーゼ枕カバー１を長辺方向（経方向）において枕５に巻き付け、枕５の表面の略全体を覆うことで、ガーゼ枕カバー１が枕５に対してしっかり巻き付けられ、容易に外れたりすることがない。
【００３０】
また、使用時に、寝返り等で枕５の表側面、すなわち、ガーゼ枕カバー１の滑り吸収部２０に接触する使用者の頭が動いた場合であっても、滑り吸収部２０が6層構造となっており、各層３１〜３６が互いにずれることで、頭の滑りを吸収し、枕５に直接接触する裏層３６が枕５に対してずれることを防ぐことができる。
【００３１】
ここで、ガーゼ枕カバー１のサイズについて説明する。ガーゼ枕カバー１は、全体として、緯方向の短辺が60cm、経方向の長辺が85cmである。経方向において、滑り吸収部２０の長さが45cm、薄層部４０の長さがそれぞれ20cmである。
【００３２】
標準的な枕５のサイズは、縦43cm、横63cmであるため、ガーゼ枕カバー１の短辺を枕５の横方向に合わせて巻き付ければ、上述したように、滑り吸収部２０が枕５の表側面を覆い、薄層部４０が枕５の裏側面を覆う。使用時には、枕５の表側面に使用者の頭が載って接触するため、表側面に滑り吸収部２０が位置することで、頭の動きを滑り吸収部２０で吸収することができる。
【００３３】
一方、枕５の裏側面は、頭に接触ない場所であり、ここに位置する部分を2層構造の薄層部４０とすることで、ガーゼ枕カバー１の嵩を小さくすることができると共に、洗濯時に早く乾燥させることもできる。
【００３４】
もちろん、ガーゼ枕カバー１のサイズは適宜変更可能であり、枕５のサイズに合わせて適宜変更すれば良く、枕５に巻き付けて使用する際に、枕５の表側面の略全体を滑り吸収部２０が覆い、裏側面を薄層部４０が覆うようなサイズとするのが望ましい。
【００３５】
また、対象物である枕５に巻き付ける際、本実施形態のように必ずしも一周以上巻き付ける（2つの薄層部４０が重畳する）必要はなく、裏側面の一部を覆う（2つの薄層部４０が重畳しない）ように巻き付けるようなサイズであっても良い。
【００３６】
経方向において、滑り吸収部２０の長さが短くなると、枕５の表面側を覆う面積が小さくなって頭の動きを十分に吸収できなくなってしまい、反対に、滑り吸収部２０の長さが長くなると、枕５の裏側面まで滑り吸収部２０が不必要に覆ってしまい、嵩が大きく乾燥にも時間のかかるガーゼ枕カバー１となってしまう。よって、ガーゼ枕カバー１の経方向のサイズは、両端の薄層部４０の間に挟まれた滑り吸収部２０がガーゼ枕カバー１の経方向全体の長さの30〜70％の長さであるのが望ましい。
【００３７】
以上、本実施形態によれば、ガーゼ枕カバー１を枕５に巻き付けるだけで、簡単に使用できる共に、枕５に接触する使用者の頭の動きを6重構造の滑り吸収部２０において各層３１〜３６が相対的にずれることで吸収することができ、ガーゼ枕カバー１が枕５から簡単に外れることもない。
【００３８】
枕カバーは、使用者によっては毎日洗って使いたいが、従来の袋タイプの枕カバーでは、取り外しや取り付けが大変で、毎日着脱して洗うのはハードルが高い。これに対して、巻き付けるだけで装着できるガーゼ枕カバー１であれば、毎日手軽に洗濯することができ、汗を吸収するガーゼ枕カバー１を毎日清潔な状態で使用することができる。
【００３９】
また、本実施形態では、枕５の裏側面に位置して使用者の頭に接触することのない、滑り吸収部２０の経方向両側の端部に層数の少ない薄層部４０を設置することで、ガーゼ枕カバー１の軽量化及び速乾性を実現し、毎日の洗濯の負担を大きく低減している。
【００４０】
なお、本発明の実施形態は上述した形態に限定されるものではなく、本発明の主旨を逸脱しない範囲内で種々の変形が可能である。例えば、上記実施形態では、滑り吸収部を有するガーゼ織物カバーとして、枕に巻き付けて使用する枕カバーを例に挙げて説明したが、本発明は、枕カバーに限らず、対象物に巻き付けて使用して滑りを吸収するためのガーゼ織物カバーであれば、様々なガーゼ織物カバーに適用することができる。
【００４１】
例えば、敷き布団の表面に敷かれる汗取りパッドとして、本発明の滑り吸収部を有するガーゼ織物カバーを使用することができる。また、上記実施形態では、ガーゼ枕カバーの経方向の両端に位置する2つの薄層部の径方向のサイズを同じとしたが、異なるサイズとしても良い。
【００４２】
また、上記実施形態では、滑り吸収部を6層、薄層部を2層としたが、薄層部の層数よりも滑り吸収部の層数が多ければ、適宜、層数を変更可能であり、また、2つの薄層部の層数が異なっても良い。
【００４３】
例えば、薄層部を1層、滑り吸収部を2層としても良い。但し、滑りを良好に吸収するためには、滑り吸収部を3層以上とするのが望ましい。また、薄層部は、軽量化及び速乾性を実現するために2層以下とするのが望ましい。
【符号の説明】
【００４４】
１    ガーゼ枕カバー
２０  滑り吸収部（六重織部）
２１  表裏層
２２  内部層
３１  表層（第一層）
３２  第二層
３３  第三層
３４  第四層
３５  第五層
３６  裏層（第六層）
４０  薄層部（二重織部）
４１  表層（第一層）
４２  裏層（第二層）
５０  経糸
５１  上経糸（内部層）
５２  下経糸（表裏層）
６０  緯糸
６１  第一緯糸（表層、裏層）
６２  第二緯糸（第二層、第五層）
６３  第三緯糸（第三層、第四層）
５    枕
【図１】
2020039751.tif 000003
【図２】
2020039751.tif 000004
【図３】
2020039751.tif 000005
【図４】
2020039751.tif 000006
【図５】
2020039751.tif 000007